(57)【要約】ガスタービンエンジンに用いられるベーンポンプが開示され、このベーンポンプは、ベーン要素の下方部分に供給される流体を加圧し、ベーン要素にかかる力を釣り合わせる。そのベーンポンプは、ポンプハウジングと、カム部材と、円筒状のロータ部材と、室とを有する。その室は、ハウジング内に形成され、各ベーン要素の下方部分と流体連通する位置に配置され、そこに所望の圧力を供給する。その室は、第１圧力源と第２圧力源と流体連通し、その第１圧力源は、ポンピングキャビティの吐出用弧部分と連合し、その第２の圧力源は、上記ポンピングキャビティの入口用弧部分と連合している。
2004529283.tif 000002
【特許請求の範囲】
【請求項１】
ａ）鉛直方向のセンターラインと水平方向のセンターラインとが通る中心軸を定義する円筒状の内側室を有するポンプハウジングと、
ｂ）上記ポンプハウジングの上記内側室内に配置され、かつ、貫通すると共にポンピングキャビティの周面を形成する穴を有するカム部材とを備え、
上記ポンピングキャビティの周面は、吐出用弧部分と、入口用弧部分と、上記入口用弧部分と上記吐出用弧部分とを互いに分離している密封用弧部分とを有し、
ｃ）上記カム部材の上記穴内に、上記内側室の上記中心軸と同一直線上の軸廻りに回転可能に嵌合された円筒状のロータ部材とを備え、
上記ロータ部材は、中央本体部分を備え、この中央本体部分は、その内部に形成されて周囲に間隔を置いて配置され径方向に延長している複数のベーンスロットを含み、各ベーンスロットは、その内部で径方向に移動するように搭載された対応しているベーン要素を支持し、各ベーン要素は、上記ポンピングキャビティの周面に摺動可能に係合するようにされた径方向外方の先端面と、各ベーンスロット内にある径方向内方のベーン下方部分とを有し、
ｄ）上記ハウジング内に形成され、各ベーン要素の上記下方部分へ流体を連通させるように位置決めされて、そこへ所望の圧力を供給する室とを備え、
上記室は、第１の圧力源及び第２の圧力源と流体連通していて、その第１の圧力源は、上記ポンピングキャビティの吐出用弧部分と連合し、その第２の圧力源は、上記ポンピングキャビティの入口用弧部分と連合していることを特徴とするベーンポンプ。
【請求項２】
請求項１に記載のベーンポンプにおいて、上記ポンプは、可変容量ベーンポンプであり、上記カム部材は、上記ポンプハウジングの上記内側室内で、上記内側室の上記鉛直方向のセンターラインと同一直線上の支柱に回転可能に取り付けられていることを特徴とするベーンポンプ。
【請求項３】
請求項１に記載のベーンポンプにおいて、上記ポンプは、固定容量ベーンポンプであり、上記カム部材は、上記ポンプハウジングに取り付けられて、上記中心軸に関して固定された関係にあることを特徴とするベーンポンプ。
【請求項４】
請求項１に記載のベーンポンプにおいて、上記ポンプキャビティの上記周面は、中心角約１５０度の吐出用弧部分と、中心角度約３０度の第１の密封用弧部分と、中心角約１５０度の入口用弧部分と、中心角度約３０度の第２の密封用弧部分とを有することを特徴とするベーンポンプ。
【請求項５】
請求項１に記載のベーンポンプにおいて、上記第１と第２の圧力源は、夫々絞りを経由して上記室と流体連通しており、各絞りは、夫々、上記第１と第２圧力源から上記室に伝えられる流体の量を制限するように寸法が定められ、かつ、構成されて、それによって、上記室内に所望の圧力を発生することを特徴とするベーンポンプ。
【請求項６】
請求項５に記載のベーンポンプにおいて、上記ロータ部材が上記中心軸廻りに回転して、各ベーン要素が上記密封用弧部分を通り抜けるときに、上記室が、各ベーン要素の上記下方部分と流体連通していることを特徴とするベーンポンプ。
【請求項７】
請求項６に記載のベーンポンプにおいて、各絞りは、上記第１又は第２の圧力源によって伝えられる圧力の約半分に等しい圧力を供給するように寸法が定められ、かつ、構成されていることを特徴とするベーンポンプ。
【請求項８】
請求項５に記載のベーンポンプにおいて、各絞りは、上記第１と第２の圧力源によって上記室に供給される流体の容量を選択的に制御するためのバルブ手段を夫々含み、それによって、上記室内を所望の圧力にすることを特徴とするベーンポンプ。
【請求項９】
請求項８に記載のベーンポンプにおいて、上記ロータ部材が上記中心軸廻りに回転して、各ベーン要素が上記密封用弧部分を通り抜けるときに、上記所望の圧力が、各ベーン要素の上記下方部分に伝えられることを特徴とするベーンポンプ。
【請求項１０】
請求項１に記載のベーンポンプにおいて、さらに、上記ポンプハウジングの上記内側室内に配置されていると共に、軸方向に間隔を置いて離された第１と第２のエンドプレートを備え、上記各エンドプレートは、上記ロータ部材に近接している第１の面を有し、上記各第１の面は、上記ポンピングキャビティの軸方向の端部を形成し、上記各エンドプレートは、上記ポンピングキャビティ内で上記ロータ部材の摩擦のない回転を許容するように上記ロータ部材から離間していることを特徴とするベーンポンプ。
【請求項１１】
請求項１０に記載のベーンポンプにおいて、上記第１と第２の圧力源は、夫々絞りを経由して上記室と流体連通しており、各絞りは、夫々、上記第１と第２圧力源から上記室に伝えられる流体の量を制限するように寸法が定められ、かつ、構成されて、それによって、上記室内に所望の圧力を発生することを特徴とするベーンポンプ。
【請求項１２】
請求項１１に記載のベーンポンプにおいて、上記第１エンドプレートの上記第１面は、その中に形成された上記室と上記各絞りを有していることを特徴とするベーンポンプ。
【請求項１３】
請求項１０に記載のベーンポンプにおいて、第１と第２の溝が、各エンドプレートの上記第１面に形成され、上記第１溝は、上記第１圧力源から上記絞りへ伝えるべき流体のために通路を提供するように構成され、上記第２溝は、上記第２圧力源から上記絞りへ流れるべき流体のために通路を提供するように構成されていることを特徴とするベーンポンプ。
【請求項１４】
請求項１３に記載のベーンポンプにおいて、上記ロータ部材は、さらに、上記ロータの上記中央本体部分に機械にてつくられた実質的に軸方向の複数の流体通路を備え、各通路は、周面に間隔を置いて離された径方向の複数のベーンスロットの間に位置決めされ、上記ポンピングキャビティから上記第１と第２エンドプレートに軸方向に流れるべき流体のために通路を提供していることを特徴とするベーンポンプ。
【請求項１５】
ａ）鉛直方向のセンターラインと水平方向のセンターラインとが通る中心軸を定義する円筒状の内側室を有するポンプハウジングと、
ｂ）上記ポンプハウジングの上記内側室内に配置され、かつ、貫通すると共にポンピングキャビティの周面を形成する穴を有するカム部材とを備え、
上記ポンピングキャビティの周面は、吐出用弧部分と、入口用弧部分と、上記入口用弧部分と上記吐出用弧部分とを互いに分離している密封用弧部分とを有し、
ｃ）上記カム部材の上記穴内に、上記内側室の上記中心軸と同一直線上の軸廻りに回転可能に嵌合された円筒状のロータ部材とを備え、
上記ロータ部材は、中央本体部分を備え、この中央本体部分は、その内部に形成されて周囲に間隔を置いて配置され径方向に延長している複数のベーンスロットを含み、各ベーンスロットは、その内部で径方向に移動するように搭載された対応しているベーン要素を支持し、各ベーン要素は、上記ポンピングキャビティの周面に摺動可能に係合するようにされた径方向外方の先端面と、各ベーンスロット内にある径方向内方のベーン下方部分とを有し、
ｄ）各ベーン要素が上記密封用弧部分を通過して回転するときに上記ベーン要素の上記下方部分に圧力を供給するための手段とを備え、
上記圧力は、圧力源から上記ポンピングキャビティの上記吐出用弧部分内に供給される第１圧力と、圧力源から上記ポンピングキャビティの上記入口用弧部分内に供給される第２圧力とを備えていることを特徴とするベーンポンプ。
【請求項１６】
請求項１５に記載のベーンポンプにおいて、上記ポンプは、可変容量ベーンポンプであり、上記カム部材は、上記ポンプハウジングの上記内側室内で、上記内側室の上記鉛直方向のセンターラインと同一直線上の支柱に回転可能に取り付けられていることを特徴とするベーンポンプ。
【請求項１７】
請求項１５に記載のベーンポンプにおいて、上記ポンプは、固定容量ベーンポンプであり、上記カム部材は、上記ポンプハウジングに取り付けられて、上記中心軸に関して固定された関係にあることを特徴とするベーンポンプ。
【請求項１８】
請求項１５に記載のベーンポンプにおいて、上記ポンプキャビティの上記周囲部分は、中心角約１５０度の吐出用弧部分と、中心角度約３０度の第１の密封用弧部分と、中心角約１５０度の入口用弧部分と、中心角度約３０度の第２の密封用弧部分とを含むことを特徴とするベーンポンプ。
【請求項１９】
請求項１５に記載のベーンポンプにおいて、上記ベーン要素の上記下方部分に圧力を供給するための上記手段が、上記第１と第２の圧力源と流体連通している室を備えていることを特徴とするベーンポンプ。
【請求項２０】
請求項１９に記載のベーンポンプにおいて、上記第１と第２の圧力源は、夫々絞りを経由して上記室と流体連通しており、各絞りは、夫々、上記第１と第２圧力源から上記室に伝えられる流体の量を制限するように寸法が定められ、かつ、構成されて、それによって、上記室内に所望の圧力を発生することを特徴とするベーンポンプ。
【請求項２１】
請求項２０に記載のベーンポンプにおいて、上記ロータ部材が上記中心軸廻りに回転して、各ベーン要素が上記密封用弧部分を通り抜けるときに、上記室が、各ベーン要素の上記下方部分と流体連通していることを特徴とするベーンポンプ。
【請求項２２】
請求項２１に記載のベーンポンプにおいて、各絞りは、そこへ伝えられる圧力の二分の一に等しい圧力を供給するように寸法が定められていることを特徴とするベーンポンプ。
【請求項２３】
請求項２０に記載のベーンポンプにおいて、各絞りは、上記第１と第２の圧力源によって上記室に供給される流体の容量を選択的に制御するためのバルブ手段を夫々含み、それによって、上記室内を所望の圧力にすることを特徴とするベーンポンプ。
【請求項２４】
請求項２３に記載のベーンポンプにおいて、上記ロータ部材が上記中心軸廻りに回転して、各ベーン要素が上記密封用弧部分を通り抜けるときに、上記所望の圧力が、各ベーン要素の上記下方部分に伝えられることを特徴とするベーンポンプ。
【請求項２５】
請求項１５に記載のベーンポンプにおいて、さらに、上記ポンプハウジングの上記内側室内に配置されていると共に、軸方向に間隔を置いて離された第１と第２のエンドプレートを備え、上記各エンドプレートは、上記ロータ部材に近接している第１の面を有し、上記各第１の面は、上記ポンピングキャビティの軸方向の端部を形成し、上記各エンドプレートは、上記ポンピングキャビティ内で上記ロータ部材の摩擦のない回転を許容するように上記ロータ部材から離間していることを特徴とするベーンポンプ。
【請求項２６】
請求項２５に記載のベーンポンプにおいて、上記第１と第２の圧力源は、夫々絞りを経由して上記室と流体連通しており、各絞りは、夫々、上記第１と第２圧力源から上記室に伝えられる流体の量を制限するように寸法が定められ、かつ、構成されて、それによって、上記室内に所望の圧力を発生することを特徴とするベーンポンプ。
【請求項２７】
請求項２６に記載のベーンポンプにおいて、上記第１エンドプレートの上記第１面は、その中に形成された上記室と上記各絞りを有していることを特徴とするベーンポンプ。
【請求項２８】
請求項２７に記載のベーンポンプにおいて、第１と第２の溝が、各エンドプレートの上記第１面に形成され、上記第１溝は、上記第１圧力源から上記絞りへ伝えるべき流体のために通路を提供するように構成され、上記第２溝は、上記第２圧力源から上記絞りへ伝えるべき流体のために通路を提供するように構成されていることを特徴とするベーンポンプ。
【請求項２９】
請求項２５に記載のベーンポンプにおいて、上記ロータ部材は、さらに、上記ロータの上記中央本体部分に機械にてつくられた実質的に軸方向の複数の流体通路を備え、各通路は、周面に間隔を置いて離された径方向の複数のベーンスロットの間に位置決めされ、上記ポンピングキャビティから上記第１と第２エンドプレートに軸方向に伝えるべき流体のために通路を提供していることを特徴とするベーンポンプ。
【請求項３０】
ａ）鉛直方向のセンターラインと水平方向のセンターラインとが通る中心軸を定義する円筒状の内側室を有するポンプハウジングと、
ｂ）上記ポンプハウジングの上記内側室内に配置され、かつ、貫通すると共にポンピングキャビティの周面を形成する穴を有するカム部材とを備え、
上記ポンピングキャビティの周面は、吐出用弧部分と、入口用弧部分と、上記入口用弧部分と上記吐出用弧部分とを互いに分離している密封用弧部分とを有し、
ｃ）上記カム部材の上記穴内に、上記内側室の上記中心軸と同一直線上の軸廻りに回転可能に嵌合された円筒状のロータ部材とを備え、
上記ロータ部材は、中央本体部分を備え、この中央本体部分は、その内部に形成されて周囲に間隔を置いて配置され径方向に延長している複数のベーンスロットを含み、各ベーンスロットは、その内部で径方向に移動するように搭載された対応しているベーン要素を支持し、各ベーン要素は、上記ポンピングキャビティの周面に摺動可能に係合するようにされた径方向外方の先端面と、各ベーンスロット内にある径方向内方のベーン下方部分とを有し、
ｄ）上記ポンプハウジングの上記内側室内に配置されていると共に軸方向に間隔を置いて離された第１と第２のエンドプレートとを備え、
上記各エンドプレートは、上記ロータ部材に近接している第１の面を備え、上記各第１の面は、上記ポンピングキャビティの軸方向の端部を形成し、上記各エンドプレートは、上記ポンピングキャビティ内で、かつ、上記ロータ部材の摩擦のない回転を許容するように上記ロータ部材から離間し、
ｅ）上記第１エンドプレートの上記第１面に形成された第１の圧力室と、上記第２エンドプレートの上記第１面に形成された第２の圧力室とを備え、
上記各圧力室は、各ベーン要素の下方部分と流体連通するように位置決めされ、そこに所望の圧力を供給し、各圧力室は、第１圧力源と第２圧力源と流体連通しており、上記第１の圧力源は、上記ポンピングキャビティの上記吐出用弧部分と連合し、上記第２の圧力源は、上記ポンピングキャビティの上記入口用弧部分と連合していることを特徴とするベーンポンプ。
【請求項３１】
請求項３０に記載のベーンポンプにおいて、上記ポンプは、可変容量ベーンポンプであり、上記カム部材は、上記ポンプハウジングの上記内側室内で、上記内側室の上記鉛直方向のセンターラインと同一直線上の支柱に回転可能に取り付けられていることを特徴とするベーンポンプ。
【請求項３２】
請求項３０に記載のベーンポンプにおいて、上記ポンプは、固定容量ベーンポンプであり、上記カム部材は、上記ポンプハウジングに取り付けられて、上記中心軸に関して固定された関係にあることを特徴とするベーンポンプ。
【請求項３３】
請求項３０に記載のベーンポンプにおいて、上記第１と第２の圧力源は、夫々絞りを経由して上記第１圧力室と連通しており、各絞りは、夫々、上記第１と第２圧力源から上記第１圧力室に伝えられる流体の量を制限するように寸法が定められ、かつ、構成されて、それによって、上記第１圧力室内に所望の圧力を発生することを特徴とするベーンポンプ。
【請求項３４】
請求項３３に記載のベーンポンプにおいて、上記第１と第２の圧力源は、夫々絞りを経由して上記第２圧力室と連通しており、各絞りは、夫々、上記第１と第２圧力源から上記第２圧力室に伝えられる流体の量を制限するように寸法が定められ、かつ、構成されて、それによって、上記第２圧力室内に所望の圧力を発生することを特徴とするベーンポンプ。
【請求項３５】
請求項３０に記載のベーンポンプにおいて、上記ロータ部材が上記中心軸廻りに回転して、各ベーン要素が上記密封用弧部分を通り抜けるときに、上記第１と第２の圧力室が、各ベーン要素の上記下方部分と流体連通していることを特徴とするベーンポンプ。
【請求項３６】
請求項３４に記載のベーンポンプにおいて、各絞りは、そこへ伝えられる圧力の二分の一に等しい圧力を供給するように寸法が定められていることを特徴とするベーンポンプ。
【請求項３７】
請求項３４に記載のベーンポンプにおいて、各絞りは、そこを通り抜けるように供給される流体の容量を選択的に制御するためのバルブ手段を含み、それによって、上記第１と第２の圧力室内を所望の圧力にすることを特徴とするベーンポンプ。
【請求項３８】
請求項３０に記載のベーンポンプにおいて、第１と第２の溝が、各エンドプレートの上記第１面に形成され、上記第１溝は、上記第１圧力源から上記絞りへ伝えるべき流体のために通路を提供するように構成され、上記第２溝は、上記第２圧力源から上記絞りへ伝えるべき流体のために通路を提供するように構成されていることを特徴とするベーンポンプ。
【請求項３９】
請求項３０に記載のベーンポンプにおいて、上記ロータ部材は、さらに、上記ロータの上記中央本体部分に機械にてつくられた実質的に軸方向の複数の流体通路を備え、各通路は、周面に間隔を置いて離された径方向の複数のベーンスロットの間に位置決めされ、上記ポンピングキャビティから上記第１と第２エンドプレートに軸方向に伝えるべき流体のために通路を提供していることを特徴とするベーンポンプ。
【発明の詳細な説明】
【０００１】
（関連出願の参照）
この出願は、２０００年１２月２０日に提出されたＵＳ特許出願シリアルＮｏ．０９／７４１５２４の一部継続出願であり、２０００年９月２８日に提出された仮のＵＳ特許出願Ｎｏ．６０／２３６２９４に対して優先権を主張しており、両方のＵＳ特許出願は、本出願に矛盾しない範囲で、そっくりそのまま、この出願に組み込まれる。
【０００２】
（技術分野）
本発明は、ガスタービンエンジンに用いる燃料ポンプに関し、より具体的には、ベーン要素にかかる力を均衡にするために、加圧流体がベーン要素の下方部分に供給されるベーンポンプに関する。
【０００３】
（背景技術）
固定容量と可変容量ポンプは、航空のガスタービン産業において、主に燃料ポンプとして用いられている。固定容量ベーンポンプの一例が、サンドバーグに対するＵＳ特許Ｎｏ．４３５４８０９に開示され、可変容量ベーンポンプの一例が、サンドバーグ及びその他に対するＵＳ特許Ｎｏ．５５４５０１４に開示されている。これらの特許における出願は、本出願に矛盾しない範囲で、そっくりそのまま、この出願に組み込まれている。
【０００４】
ベーンポンプは、伝統的に、ハウジング、カム部材、ロータとジャーナルベアリングを有し、上記ハウジングは、内側室、流体入口と流体出口を形成し、上記カム部材は、上記ハウジングの上記内側室内に配置され、上記内部のポンピングキャビティの周囲境界を形成する中央の穴を備えている。ロータは、軸方向の両側のジャーナルベアリングによって支持され、上記カム部材の上記中央の穴内に回転可能に搭載されている。典型的に、上記ロータ要素は、その内部に機械で作製されると共に周囲に間隔を置いて離されたスロットを有し、そのスロットは、対応している径方向移動可能なベーン要素を支持している。上記ベーン要素は、上記内部のポンピングキャビティの周囲部分に円滑に接触する径方向外方先端部分と、径方向内方のベーンの下方部分とを備えている。
【０００５】
一方向の回転において、上記ポンプの上記ロータ要素のベーンは、３６０度の周期を形成する少なくとも四つの異なった弧領域を横切る。第１の領域は、流体が上記ポンピングキャビティ内へ収容される入口用弧部分であり、この領域を越えてバケットの容量が増加する。第２の領域は、加圧流体が上記ポンピングキャビティから排出される吐出用弧部分であり、この領域の間、バケットの容量が減少する。最後に、密封用弧部分は、入口用と吐出用弧部分を分離し、バケットの容量が安定して一定に保持される弧部分を表す。
【０００６】
運転中、流体は、第１の圧力で、上記ハウジングの入口を通過して上記ポンピングキャビティ内に供給されて、隣り合うベーン要素の間に形成される空間、いわゆるバケット内に供給される。実際の吐出ベーンポンプにおいて、ベーン要素が、上記ポンピングキャビティ内で入口領域から出口領域まで回転するとき、上記カム部材の構成により、上記ベーンが対応しているスロット内に引き込む。これにより、バケットによって形成された容量が減少する。入口のバケット内に収容された流体の量は、対応している吐出のバケット内に含まれる流体の量よりも多いため、その容量の差と同量の流体が、下流の圧力と同等の圧力で出口を通過して、吐出又は吐出される。
【０００７】
典型的に、汲み上げの圧力と速度は、ポンプハウジング内でとても高いので、これら圧力と速度の高い値によって引き起こされる磨耗を処理するために、ベーンとカム部材に、タングステンカーバイドのような重くて耐磨耗性の高い材質を使用する必要がある。
【０００８】
この回転の間、径方向外方への遠心力が、ベーン要素に作用する。同時に、隣り合うバケット内での加圧流体が、ベーン要素に径方向内方の力を作用する。しばしば、ベーンにかかる力は釣り合っておらず、それゆえに、ベーン先端は、過度の磨耗を受けたり、バケット内から流体漏れを受ける。これにより、汲み上げ効率が減少する。
【０００９】
理想のポンプの運転状態は、各ベーン要素にかかる圧力が釣り合って、各ベーン要素が上記ロータの対応しているスロット内で“浮く”ときである。この状態により、ベーン先端の磨耗が最小となり、ベーン先端とカム部材との間の接触不足による圧力損失が最小となる。
【００１０】
不均衡なベーンの状態を正す従来の試みは、ベーン下方部分へ圧力を加えていた。一般的に、典型的なベーンポンプは、ベーン下方部分のポンピングの特徴を組み込まれていない。具現化されたものは、典型的には、入口領域のバケット内から、入口用弧内のベーン下方部分へ圧力を供給する。同様に、吐出用弧内のベーン下方部分は、吐出用弧内に位置しているバケットから圧力を受ける。この特徴により、入口用と吐出用弧領域内では、釣り合った状態となるが、密封用弧領域では不均衡の状態が正されない。
【００１１】
上記ベーンが、入口用弧領域の後ろで吐出用弧領域の前に位置している上記第１の密封用弧領域内にあるとき、ベーンの前面は、上記ポンピングキャビティの上記吐出側から圧力を受け、ベーンの後面は、上記ポンピングキャビティの上記入口側から圧力を受ける。それゆえに、入口又は吐出用弧領域から供給された圧力では、上記力は釣り合わないであろう。実際、密封用弧領域を横切るベーンにかかる力を釣り合わせるには、吐出圧力の半分と入口圧力の半分を加えた圧力に等しい中間の圧力が必要となる。
【００１２】
ＵＳ特許Ｎｏ．４３５４８０９とＵＳ特許Ｎｏ．５５４５０１４に、ベーン下方のポンピングを適応して圧力を均等としたベーンを有するベーンポンプが例示されている。ＵＳ特許Ｎｏ．４３５４８０９には、ベーン下方のポンピングを組み込まれているベーンポンプが開示されており、ベーンは、入口と吐出の領域だけでなく、密封の領域においても、水圧的に、釣り合いが保たれている。より具体的に述べると、ＵＳ特許Ｎｏ．４３５４８０９には、固定容量ベーンポンプが開示され、ベーン下方領域に圧力を供給するためにロータ内に機械にて作製された一連のポートを利用している。二つのポートは、ロータ内で羽根の前側に備え付けられ、二つのポートは、ロータ内で羽根の後側に備え付けられている。全てのポートは、関連しているベーン要素の下方部分に流体を伝えている。この構成により釣り合った状態となるが、ポートは、複雑な構成となり、ロータへの作製に莫大な費用がかかる。また、前方と後方のポートの間の弧長さよりも長い弧長さを有する密封用弧領域を備えたポンプにおいて、ベーン下方部分に供給される圧力は、入口用と吐出用弧領域からの圧力の混合ではなく、むしろ、密封用弧領域と、吐出又は入口用弧領域とからの圧力の混合である。
【００１３】
サンドバーグ及びその他に対するＵＳ特許Ｎｏ．５５４５０１４によれば、丈夫で、単発式の、可変容量ベーンポンプが、ベーン下方のポンピングが可能であることがわかり、また、その構成と、ここに組み込まれている圧力均衡方法とがわかる。そのＵＳ特許Ｎｏ．５５４５０１４によれば、ベーン要素が密封用弧領域に位置しているときに、ベーンの下方部分に吐出圧力の半分を供給するために、サーボピストンを用いている。
【００１４】
前記のものの観点において、改良のベーンポンプにとって、入口用弧領域、吐出用弧領域と密封用弧領域において、各ベーン要素に作用する力を効果的に均衡にする必要がある。
【００１５】
（発明の要約）
本出願は、ガスタービンエンジンに用いられるベーンポンプに関し、加圧流体がベーン要素の下方部分に供給され、それにかかる力を釣り合わせる。好ましい形態では、ベーンポンプは、ポンプハウジングとカム部材と円筒状のロータ部材と室とを有する。上記ポンプハウジングは、その中に形成される円筒状の内側室を有し、中心軸を定義し、この中心軸を鉛直方向のセンターラインと水平方向のセンターラインとが通って延在する。上記カム部材は、上記ポンプハウジングの上記内側室内に配置され、貫通する穴を有している。その穴は、ポンピングキャビティの周面を形成し、そのポンピングキャビティの周面は、吐出用弧部分と、入口用弧部分と、入口用弧部分と吐出用弧部分とを互いに分離している密封用弧部分とを有している。
【００１６】
円筒状のロータ部材は、上記カム部材の上記穴内で上記内側室の上記中心軸と同一直線上の軸廻りに回転可能に嵌合されている。上記ロータ部材は、中央本体部分を有し、その中央本体部分は、その内部に形成されて周囲に間隔を置いて配置され径方向に延長している複数のベーンスロットを有している。各ベーンスロットは、その内部で径方向に移動するように搭載された対応しているベーン要素を支持している。各ベーン要素は、上記ポンピングキャビティの周面に摺動可能に係合するようにされた径方向外方の先端面と、各ベーンスロット内にある径方向内方のベーン下方部分とを備えている。
【００１７】
室は、上記ハウジング内に形成され、各ベーン要素の上記下方部分へ流体を連通させるように位置決めされ、そこへ所望の圧力を供給する。上記室は、第１の圧力源と第２の圧力源と流体連通している。上記第１の圧力源は、上記ポンピングキャビティの吐出用弧部分と連合し、上記第２の圧力源は、上記ポンピングキャビティの入口用弧部分と連合している。
【００１８】
本発明の好ましい形態では、上記ベーンポンプは、可変容量ベーンポンプであり、上記カム部材は、上記ポンプハウジングの上記内側室内で、上記内側室の上記鉛直方向のセンターラインと同一直線上の支柱廻りに回転可能に取り付けられている。他方、上記ベーンポンプは、固定容量ベーンポンプであり、上記カム部材は、上記ポンプハウジング内に取り付けられ、上記中心軸に関して固定された関係にある。
【００１９】
想到されるように、上記ポンプキャビティの上記周面は、中心角約１５０度の弧長さを備える入口用と吐出用弧部分と、中心角度約３０度の弧長さを備える第１と第２の密封用弧部分とを有する。しかしながら、その技術に精通した者によって理解されるであろう通り、個々の部分の弧長さは、入口と吐出口の数量と、ポンピングキャビティの周囲部分の形状とのような要素により、変更可能である。
【００２０】
さらに、想到されるように、現在の発明の好ましい形態において、上記第１と第２の圧力源は、夫々絞りを経由して上記室と流体連通している。各絞りは、夫々、上記第１と第２圧力源から上記室に伝えられる流体の量を制限するように寸法が定められ、かつ、構成されて、それによって、上記室内に所望の圧力を発生する。また、上記ロータ部材が上記中心軸廻りに回転して、各ベーン要素が上記密封用弧部分を通り抜けるときに、上記室が、各ベーン要素の上記下方部分と流体連通している。
【００２１】
現在提案されているように、各絞りは、上記第１又は第２の圧力源によって伝えられる圧力の半分に等しい圧力を供給するように寸法が定められ、かつ、構成されている。一つの形態において、各絞りは、上記第１と第２の圧力源によって上記室に供給される流体の容量を選択的に制御するためのバルブ手段を夫々含み、それによって、上記室内を所望の圧力にする。
【００２２】
好ましい形態において、本出願の上記ベーンポンプは、さらに、上記ポンプハウジングの上記内側室内に配置され、軸方向に間隔を置いて離された第１と第２のエンドプレートを備えている。各エンドプレートは、上記ロータ部材に近接している第１の面を備え、上記ポンピングキャビティの軸方向の端部を形成している。各エンドプレートは、上記ポンピングキャビティ内で上記ロータ部材の摩擦のない回転を許容するように上記ロータ部材から離間している。この形態では、上記第１エンドプレートの上記第１面は、上記室を備え、各絞りは、その中に形成されている。他方、好ましくは、室とそれに対応している絞りは、上記第１と第２の両方のエンドプレートの上記第１面に形成されるのがよい。また、想到されるように、第１と第２の溝は、各エンドプレートの上記第１面に形成されている。上記第１溝は、上記第１圧力源から上記絞りへ伝えるべき流体のために通路を供給するために構成され、上記第２溝は、上記第２圧力源から上記絞りへ伝えるべき流体のために通路を供給するために構成されている。
【００２３】
さらに、想到されるように、上記ロータ部材は、上記ロータの上記中央本体部分に機械にてつくられた実質的に軸方向の複数の流体通路を備えている。各通路は、周面に間隔を置いて配置された径方向の複数のベーンスロットの間に位置され、上記ポンピングキャビティから上記第１と第２エンドプレートに軸方向に伝えるべき流体のために通路を供給している。
【００２４】
本出願は、また、ポンプハウジングと、カム部材と、円筒状のロータ部材と、各ベーン要素が上記密封用弧部分を通って回転するときに上記ベーン要素の上記下方部分に圧力を供給するための手段とを備えているベーンポンプを示している。前に述べた形態と同様に、上記ポンプハウジングは、中心軸を定義する円筒状の内側室を有し、この中心軸を鉛直方向のセンターラインと水平方向のセンターラインとが通って延在する。上記カム部材は、上記ポンプハウジングの上記内側室内に配置され、貫通する穴を有している。上記穴は、ポンピングキャビティの周面を形成し、上記ポンピングキャビティの周面は、吐出用弧部分と、入口用弧部分と、入口用弧部分と吐出用弧部分とを互いに分離している密封用弧部分とを有している。円筒状のロータ部材は、上記カム部材の上記穴内で上記内側室の上記中心軸と同一直線上の軸廻りに回転可能に搭載されている。上記ロータ部材は、内部に形成されて周囲に間隔を置いて配置され径方向に延長している複数のベーンスロットを有する中央本体部分を備え、各ベーンスロットは、その内部で径方向に移動するように搭載された対応しているベーン要素を支持している。
【００２５】
前に述べた形態と異なり、好ましくは、この形態は、各ベーン要素が上記密封用弧部分を横切って回転するときに上記ベーン要素の上記下方部分に圧力を供給するための手段を有する。上記ベーン要素の下方部分に供給される上記圧力は、上記ポンピングキャビティの上記吐出用弧部分から供給される第１圧力と、上記ポンピングキャビティの上記入口用弧部分から供給される第２圧力との組み合わせである。
【００２６】
好ましくは、全てのベーン要素の上記下方部分に圧力を供給するための上記手段が、上記第１と第２の圧力源と流体連通している室を含んでいる。付け加えると、上記第１と第２の圧力源は、夫々絞りを経由して上記室と流体連通している。各絞りは、夫々、上記第１と第２圧力源から上記室に伝えられる流体の量を制限するように寸法が定められ、かつ、構成されて、それによって、上記室内に所望の圧力を発生する。
【００２７】
本出願は、また、ポンプハウジングと、カム部材と、円筒状のロータ部材と、軸方向に間隔を置いて離間した第１と第２のエンドプレートと、第１と第２の圧力室とを備えているベーンポンプを示している。
【００２８】
好ましい形態において、上記第１の圧力室は、上記第１エンドプレートの上記第１面に形成され、上記第２の圧力室は、上記第２エンドプレートの上記第１面に形成されている。各室は、各ベーン要素の下方部分と流体連通する位置に配置され、そこに所望の圧力を供給する。各室は、第１圧力源と第２圧力源と流体連通し、上記第１の圧力源は、上記ポンピングキャビティの上記吐出用弧部分と連合し、上記第２の圧力源は、上記ポンピングキャビティの上記入口用弧部分と連合している。
【００２９】
本発明によれば、上記ベーンにかかる圧力は釣り合っており、上記ベーンは、上記現在のポンプの操作を通して、軽く搭載され、又は、“浮いた”状態となる。このため、ベーンにかかる摩擦は減少し、より厚く、より耐久性のあるベーンを使用することができ、最も重要なことは、ベーンの先端と連続的なカム面との共通面に弾力のある流体の潤滑油を供給することができる。各ベーンが、低圧力の入口部分から高圧の吐出部分へ回転されるときに、密封用弧部分内でベーン下方のスロット領域に中間の流体圧力を与えることによって、そのように均衡を保つことができる。逆もまた同様に、ベーン下方のスロット領域内の圧力は、自動的に、密封用弧部分で中間圧力に調整され、そこでは、ベーン下方とベーン上方との力が釣り合っており、ベーン要素が、過度の力でカム面へ強く接触したり、弱く接触するのを防ぐ。
【００３０】
従来技術に見られる釣り合いのとれていない圧力を除去することによって、ベーン下方の圧力を調整して、より厚く、より耐久性のあるベーンを使用することができる。従来技術において、ベーンは、カムに対するベーンの荷重を制限するために薄く形成されている。なぜなら、比較的に高い吐出の圧力は、カムに対してベーン先端を強く押し当てる力をもたらす。一方、比較的に低い入口の圧力は、ベーン先端とカムとの間に共有の圧力を除去するように作用する。薄いベーンの小さな領域により、ベーン先端をかなりよい荷重にすることができるが、しばしば、かなりもろい合金が要求され、壊れやすいベーンとなる。本発明の入口用弧内では、ベーン下方の領域は、ベーン上方の領域と同じように、入口の圧力を受ける。ポンプの出口の弧内では、ベーン下方の領域は、ベーン上方の領域と同じように、出口の圧力を受ける。ポンプの密封用弧内では、ベーン下方の領域は、入口の半分の圧力と吐出の半分の圧力を受けるベーン上方の領域を補正するために、入口と出口の圧力の中間の圧力を受ける。より重要なことは、ベーン下方の圧力とベーンの“浮き”との調整により、ベーンの外側の面が、汲み上げられた流体によって滑らかにされた連続的なカム面に対して浮くこととなり、それによって、金属間の接触と磨耗は、実質的に制限される。これにより、ベーン及び／又はカム面に対して、タングステンカーバイドのような、固く、もろく、耐磨耗性のある重い金属の使用を避けることができ、より柔らかく、より延伸性のある軽量の金属を使用することができる。
【００３１】
その技術に精通した者であれば容易に認識できるであろう通りに、本発明の出願書類は、改良されたベーンポンプの構成を示している。既に議論された特徴と、ここで開示されるベーンポンプの他の独特の特徴とは、以下の記述、添付された図面と請求項から、より容易に明確となるであろう。
【００３２】
本出願に属する技術において通常に熟練している者であれば、図面に示されるものと同じものの作り方と使い方を、より簡単に理解できるであろう。
【００３３】
本出願のベーンポンプのこれらと他の特徴は、以下の良好な形態の詳細な説明から、その技術において通常に熟練している者であれば、より容易に明確となるであろう。
【００３４】
（発明を実施するための好ましい形態）
以下、本発明の同じ構成要素を同一符号にて示している図面を用いて説明すると、図１の従来技術において、符号１０に通常のベーンポンプが示されている。そのベーンポンプ１０は、ＵＳパテントＮｏ．５５４５０１４に開示されているポンプと同様であって、ポンプハウジング１２を有し、ポンプハウジング１２は、カム部材１４とロータ部材１６を支持する内側室を形成している。ロータ部材１６は、径方向に伸長している複数のスロット１７を有している。各スロットは、対応しているベーン要素１８を支持するために構成されている。カム部材１４は、枢軸ピン２０に回転可能に枢結され、カム室を形成する穴２２を形成している。そのカム室は、ベーン要素１８の外方先端面と常時接触するカム面２４を形成する。
【００３５】
図２によれば、ベーンポンプ１０は、さらに、低圧流体をポンピング室へ送り込むための入口用領域５０と、高圧流体をポンピング室から排出するための吐出用領域５２とを有している。メインの駆動シャフト３２は、中央のシャフト部材３４を駆動するために、縦軸に沿ってポンプハウジング１２の内側室を貫通するように伸びている。シャフト部材３４は、対向している両側のジャーナルベアリング３６ａ，３６ｂに回転可能に支持され、そして、ロータ部材１６に係止されて回転運動を伝達している。
【００３６】
図１に示すように、上記ベーン要素１８は、スロット１７内に隙間なく嵌合し、ピストンのように作用する。即ち、ベーン要素１８は、ロータ部材が動いている間、ポンピング室の吐出用弧領域６２（図３）を通過して、径方向内方へ押し下げられる。各スロット１７は、径方向内方のベーン下方の室を有し、その室は領域を定義し、その領域は、ベーン要素１８が、ポンピング室の入口用弧領域６０（図３）内にあるときに、入口側の圧力を受け、また、ベーン要素１８が、ポンピング室の吐出用弧領域６２と、ポンピング室の密封用弧領域６４ａ，６４ｂ（図３）との中にあるときに、吐出側の圧力を受ける。加圧された流体がベーン下方の室へ送られる方法は、図３に関して、以下により詳細に説明する。
【００３７】
さらに図２に関して、内側室に配置された両側のサイドプレート４０，４２は、カム部材１４とロータ部材１６との間に密封された室を形成し、その室への入口と吐出口とを備えている。軸方向のスペーサ３０は、ハウジング１２内で、かつ、両側のサイドプレート４０，４２の間に支持され、そして、カム部材１４の厚みよりも僅かに大きな厚みを有している。このため、両側のサイドプレート４０，４２が、（図示省略の）複数の貫通された留め具によって、スペーサ３０に対してきつく締め付けられる。このとき、小さな隙間がカム部材１４と両側のサイドプレートとの間に残っており、それらの間の摩擦を減少し又は排除することができる。
【００３８】
図３によれば、サイドプレート４０の面４４は、（図示省略の）ロータ部材１６に隣り合うように配置されている。ポンピング室は、３６０度において、入口用弧領域６０と、吐出用弧領域６２と、入口用弧領域６０と吐出用弧領域６２との間に配置された密封用弧領域６４ａ，６４ｂとを含んでいる。入口用弧領域６０は、隣り合うベーン要素の間（即ち、バケット内に）に含まれる容量が増加するポンピング室の部分を表しており、流体はポンピング室内に収容される。吐出用弧領域６２は、隣り合うベーン要素の間に含まれる容量が減少するポンピング室の部分である。密封用弧領域６４ａ，６４ｂ内では、容量は十分に一定に保たれている。
【００３９】
ロータ１６がポンピング室内で回転するとき、その回転によって発生する遠心力は、全てのベーン要素１８に径方向外方の力を伝える。付け加えると、隣り合うバケット内に含まれる加圧された流体は、隣り合うベーン要素に径方向内方の力を伝える。しばしば、ベーン要素１８に作用する両方の力は、釣り合わない。結果として、各ベーン１８の先端は、径方向外方の正味の力により、過度の磨耗を受けるか、若しくは、径方向内方の正味の力により、バケット内から流体が漏れる。これにより、ポンピング効率が減少する。ベーン要素にかかる圧力が釣り合って、ベーン要素が回転中のスロット内で“浮く”ときに、理想の状態が起こる。この状態により、ベーン先端の磨耗が最小となり、ベーン先端とカム部材との間の接触不足によって生じる圧力損失が最小となる。
【００４０】
さらに図３によれば、ポンプ１０は、ベーンの下方部分に圧力を加えることによって不均衡なベーンの状態を正すようにして構成される。具体的に述べると、入口の領域６０を横切る各バケット内からの圧力が、入口用弧領域６０内でベーンの下方部分に供給される。同様に、吐出用弧領域６２を横切るベーンの下方部分は、吐出用弧領域６２内に位置するバケットからの圧力で満たされる。その圧力は、加圧流体の形態で、弓状の溝６６ｉ，６６ｄによって、夫々に、入口用弧領域６０と吐出用弧領域６２とから供給される。溝６６ｉ，６６ｄは、エンドプレート４０の面４４に形成され、夫々が、入口用弧領域６０と吐出用弧領域６２と流体連通している。入口用弧領域６０からの流体は、室６６ｉの中へ収容され、それから、流路６８ａ〜６８ｅを通って内側の溝６９ｉの中へ径方向内方へ流れる。流路６８ａ〜６８ｅと内側の溝６９ｉとは、サイドプレート４０の面４４内に機械でつくられる。
【００４１】
内側の溝６９ｉは、入口用弧領域６０内に位置されている夫々のベーン要素１８の下方部分と連通している。同様の方法で、ポンピング室の吐出側では、吐出用弧領域６２内からの流体が、弓状の溝６６ｄによって収容されている。それから、その流体が、流路６７ａ〜６７ｄを通って内側の溝６９ｄへ径方向内方へ流れる。上述の如く、流路６７ａ〜６７ｄと内側の溝６９ｄとは、夫々、サイドプレート４０の面４４内に機械でつくられる。弓状の溝６９ｄは、吐出用弧領域６２と密封用弧領域６４ａ，６４ｂとの中に位置決めされている各ベーン要素１８の下方部分と連通している。
【００４２】
図１から図４に開示されているベーン下方のポンピングの形態によれば、入口用と吐出用弧領域６０，６２では釣り合った状態となるが、密封用弧領域６４ａ，６４ｂでは不均衡な状態が正されない。密封用弧領域６４ａ，６４ｄでは、ベーン１８にかかる正味の力は径方向外向きである。例えば、ベーン１８が密封用弧領域６４ａ内にあるとき、ベーンの前方の力は、ポンピング室の吐出用弧側６２からの圧力を受け、ベーンの後方の力は、ポンピング室の入口用弧側６０からの圧力を受ける。それゆえ、吐出用弧領域６２から、密封用弧領域６４ａを横断中のベーン要素１８の下方部分へ、供給される圧力により、それに伝えられた力が釣り合わないだろう。実際、半分の吐出圧力と半分の入口圧力とを合わせた圧力と同等の中間の圧力が、その力を均衡にするために必要とされる。
【００４３】
図４〜図８によれば、現在の最適の形態に従って構成されたベーンポンプが、参照数字１００によって、示されている。補足すると、前述の同様の構成要素は、同様の参照数字によって、示される。ベーンポンプ１００は、可変容量ベーンポンプであり、ポンプハウジング１１２の内側室１１３内で、内側室１１３の鉛直方向のセンターライン１０２と同一直線上の支柱に回転可能に嵌合されたカム部材１１４を備えている。その技術に精通した者によって認識されるであろう通り、ここに開示されてベーンポンプ１００に適用されている発明の要点は、カム部材がポンプハウジング内に支持されて中心の枢軸に対して固定されている固定容量ベーンポンプに適用可能である。さらに、ここに開示されている発明の要点は、多数の入口又は吐出の領域と多数の密封用弧領域とを備えている可変又は固定の容量のベーンポンプにも適用可能である。
【００４４】
ベーンポンプ１００は、ポンプハウジング１１２、カム部材１１４、円筒状のロータ部材１１６、第１室１８０ａと第２室１８０ｂとを有している。ポンプハウジング１１２は、その中に形成された円筒状の内側室１１３を備え、中心軸１０６を定義し、この中心軸１０６を鉛直方向のセンターライン１０２と水平方向のセンターライン１０４とが通って延在する。カム部材１１４は、ポンプハウジング１１２の内側室１１３内に配置され、貫通する穴を備えている。その穴は、ポンピングキャビティの周面１２４を形成し、ポンピングキャビティは、吐出用弧部分１６２と、入口用弧部分１６０と、入口用弧部分１６０と吐出用弧部分１６２とを互いに分離する密封用弧部分１６４ａ，１６４ｂとを有している。
【００４５】
円筒状のロータ部材１１６は、カム部材１１４の穴内で、内側室１１３の中心軸１０６と同一直線上の軸廻りに回転可能に嵌合されている。図８に示されるように、ロータ部材１１６は中央本体部分１１９を有し、その中央本体部分１１９の周囲には、間隔をおいて径方向に延長している複数のベーンスロット１１７が，形成されている。各ベーンスロット１１７は、対応しているベーン要素１１８をその中に径方向移動可能に嵌合しつつ支持する。各ベーン要素は、ポンピングキャビティの周面１２４に摺動可能に係合するようにされた径方向外方の端面１２１と、各ベーンスロット１１７内にある径方向内方のベーン下方部分１２３とを備えている。
【００４６】
図５によれば、内側室１１３内に配置された対向状の両側のエンドプレート１４０，１４２は、カム部材１１４とロータ部材１１６との間に、密封された室を形成し、また、その室への入口と吐出口とを備える。軸方向のスペーサ１３０は、カム部材１１４の厚さよりも僅かに大きい厚さを有し、両側のエンドプレート１４０，１４２の間に配置されている。このため、両側のエンドプレート１４０，１４２が、（図示しない）複数の貫通する留め具によって、そのスペーサ１３０に対してきつく締め付け可能となる。このとき、小さな隙間がカム部材１１４と両側のサイドプレートとの間に残っており、それらの間の摩擦を減少し又は排除することができる。
【００４７】
図６によれば、サイドプレート１４０の面１４４は、ロータ部材１１６に隣り合うように配置されている。言及すると、ポンピング室は、３６０度において、入口用弧領域１６０と、吐出用弧領域１６２と、入口用弧領域１６０と吐出用弧領域１６２との間に配置された密封用弧領域１６４ａ，１６４ｂとを有している。入口用弧領域１６０は、隣り合うベーン要素１１８の間又はバケット内に含まれる容量が増加するポンピング室の部分を表しており、流体はポンピング室内に収容される。吐出用弧領域１６２は、そのバケット内に含まれる容量が減少するポンピング室の部分である。密封用弧領域１６４ａ，１６４ｂ内では、容量は十分に一定に保たれている。
【００４８】
図３に関して論じると、ベーン要素にかかる圧力が釣り合って、ベーン要素が回転中のスロット内で“浮く”ときに、理想の状態が起こる。この状態では、ベーン先端の磨耗が最小となり、ベーン先端とカム部材との間の接触不足によって生じる圧力損失が最小となる。ベーンポンプ１０は、入口用と吐出用弧領域１６０，１６２では釣り合った状態であるが、密封用弧領域１６４ａ，１６４ｂでは不均衡な状態である。
【００４９】
図４から図８に示されるベーンポンプ１００は、ポンプの全ての領域において各ベーン要素１１８にかかる力の釣り合いがとれるような形態にて構成されている。ベーン要素１１８が入口用弧領域１６０内にあるとき、各ベーン要素１１８の下方部分１２３は、入口用弧領域１６０から加圧された流体が供給される。同様に、吐出用弧領域１６２内に位置された各ベーン要素の下方部分１２３は、吐出用弧領域１６２から加圧された流体が供給される。
【００５０】
その圧力は、弓状の溝１６６ｉ，１６６ｃによって、夫々に、入口用弧領域１６０と吐出用弧領域１６２とから供給される。溝１６６ｉ，１６６ｃは、エンドプレート１４０の面１４４に形成され、夫々が、入口用弧領域１６０と吐出用弧領域１６２と流体連通している。入口用弧領域１６０からの流体は、室１６６ｉの中へ収容され、それから、流路１６８ａ〜１６８ｅを通って内側の溝１６９ｉへ径方向内方へ流れていく。流路１６８ａ〜１６８ｅと内側の溝１６９ｉとは、サイドプレート１４０の面１４４内に機械でつくられる。内側の溝１６９ｉは、入口用弧領域１６０内に位置されている各ベーン要素１１８の下方部分に通じている。同様の方法で、ポンピング室の吐出側では、吐出用弧領域１６２内からの流体が、弓状の室１６６ｃ内に収容される。それから、その流体が、流路１６７ａ〜１６７ｄを通って内側の溝１６９ｄへ径方向内方へ流れる。流路１６７ａ〜１６７ｄと内側の溝１６９ｄとは、夫々、サイドプレート１４０の面１４４内に機械でつくられる。弓状の溝１６９ｄは、吐出用弧領域１６２内に位置されている夫々のベーン要素１１８の下方部分に通じている。その技術に精通した者であれば容易に理解するであろう通りに、溝と通路の性質は、ポンプ構造と、関連して作用する圧力とに従って変更可能である。
【００５１】
図６に最もはっきり示されるように、室１８０ａ，１８０ｂは、エンドプレート１４０の中に形成され、かつ、各ベーン要素１１８が密封用弧領域１６４ａ，１６４ｂ内に位置しているときに各ベーン要素１１８の下方部分１２３へ流体を連絡する位置にある。各室１８０ａ，１８０ｂは、第１の圧力源と第２の圧力源と流体連通している。その第１の圧力源は、ポンピングキャビティの吐出用弧領域１６２と連合しており、その第２の圧力源は、ポンピングキャビティの入口用弧領域１６０と連合している。
【００５２】
図６に示されるように、入口用と吐出用弧部分１６０，１６２の弧長さは、中心角約１５０度である。密封用弧部分１６４ａ，１６４ｂは、中心角度約３０度の弧長さを有する。個々の部分の弧長さは、入口と吐出口の数量とポンピングキャビティの形状により、変更可能である。
【００５３】
さらに、図６によれば、第１と第２の圧力源は、夫々の絞り１８２ａ〜１８２ｄを経由して各室１８０ａ，１８０ｂと流体連通している。絞り１８２ａ，１８２ｃは、夫々、第１と第２圧力源から室１８０ａに伝えられる流体の量を制限するように寸法が定められ、かつ、構成されて、それによって、室１８０ａ内に所望の圧力を発生する。同様の方法で、絞り１８２ｂ，１８２ｄは、第１と第２圧力源から室１８０ｂ内に収容される流体の量を、制御するように寸法が定められ、かつ、構成されている。結果として、両方の室１８０ａ，１８０ｂ内の流体圧力は、入口用弧領域１６０と吐出用弧領域１６２にある流体の選択された組み合わせである。従って、ロータ部材１１６が中心軸１０６廻りを回転して、各ベーン要素が両方の密封用弧部分１６４ａ，１６４ｂを通り過ぎるときに、両方の室１８０ａ，１８０ｂは、各ベーン要素１１８の下方部分１２３に、中間の又は所望の圧力を有する流体を供給する。
【００５４】
図６に示された形態によれば、各絞り１８２ａ〜１８２ｄは、第１又は第２の圧力源によって伝えられる圧力の約半分に等しい圧力を供給するように寸法が定められ、かつ、構成されている。より具体的に述べると、各絞りを形成する通路の大きさは、対応している室内の圧力が入口用と吐出用弧領域１６０，１６２からの圧力の合計の平均に等しくなるように、選択される。ベーン要素１１８の下方部分１２３にかかるこの中間の圧力は、密封用弧領域１６４ａ，１６４ｂ内に釣り合った状態をつくる。
【００５５】
図７によれば、ロータ１１６は、中央本体部分１１９に機械で作られた複数の実質的に軸方向の流体通路１８４を有する。各通路１８４は、周囲に間隔を置いて配設された径方向の複数のベーンスロット１１７の間に位置しており、ポンピングキャビティから両方の溝１６６ｉ，１６６ｃへ、又は両方のエンドプレート１４０，１４２の中に流れるべき流体のために通路を備える。
【００５６】
この特徴は、以下の理由で好都合である。即ち、流体は、バケットから各通路１８４の中に径方向内方へ、回転によって発生する遠心力に抗して、伝わらなければならず、その結果、流体は、各通路１８４に進入する前に有効的にゆっくりと移動する。その上、ポンピングキャビティの流体内に含まれる微粒子は、遠心運動によって、径方向外方に力を受け、微粒子は、バケットの径方向内側部分の流体に残った状態となる。
【００５７】
上記発明は好ましい形態に関して述べられたが、その技術に精通した者が容易に理解するであろう通りに、添付された請求項によって定義される発明の趣旨又は目的を逸脱しない範囲で、その発明に対して、様々な変更及び／又は修正を行うことが可能である。
【図面の簡単な説明】
【図１】ポンプハウジング、回転可能なカム部材、ベーン要素を備えたロータ部材を有する従来技術の可変容量ベーンポンプの横断面図である。
【図２】図１のベーンポンプの断面における側面図であり、流体がポンピングキャビティへ収容されてそこから吐出される方法を示している。
【図３】図１と図２のベーンポンプのエンドプレート面の平面図であり、その面には一連の窪みが形成され、その窪みは、ポンピングキャビティの高圧と低圧領域の両方から各ベーン要素の下方部分に流体を伝える。
【図４】本発明の良好な形態に従って構成された可変容量ベーンポンプの横断面図であり、そのベーンポンプは、ポンプハウジング、回転可能なカム部材、ベーン要素を備えたロータ部材を有する。
【図５】図４のベーンポンプの断面における側面図であり、ポンプの駆動機構と軸方向両側のエンドプレートを示し、そのエンドプレートは、ポンプハウジングの内側室内に配置され、ポンピングキャビティの端部を形成している。
【図６】図５のエンドプレート面の側面図であり、その面に形成された一連の溝と窪みと二つの室を示している。
【図７】図４と図５のベーンポンプの部分的な分離された遠近図であり、分離された部分を容易な図面で示す。
【図８】本発明の良好な形態に従って構成されたロータ部材の横断面図である。
【国際公開パンフレット】
2004529283.tif 000003
2004529283.tif 000004
2004529283.tif 000005
2004529283.tif 000006
2004529283.tif 000007
2004529283.tif 000008
2004529283.tif 000009
2004529283.tif 000010
2004529283.tif 000011
2004529283.tif 000012
2004529283.tif 000013
2004529283.tif 000014
2004529283.tif 000015
2004529283.tif 000016
2004529283.tif 000017
2004529283.tif 000018
2004529283.tif 000019
2004529283.tif 000020
2004529283.tif 000021
2004529283.tif 000022
2004529283.tif 000023
2004529283.tif 000024
2004529283.tif 000025
2004529283.tif 000026
2004529283.tif 000027
2004529283.tif 000028
2004529283.tif 000029
2004529283.tif 000030
2004529283.tif 000031
2004529283.tif 000032
2004529283.tif 000033
2004529283.tif 000034
2004529283.tif 000035
2004529283.tif 000036
2004529283.tif 000037
2004529283.tif 000038
2004529283.tif 000039
【国際公開パンフレット（コレクトバージョン）】
2004529283.tif 000040
【国際調査報告】
2004529283.tif 000041
2004529283.tif 000042
2004529283.tif 000043